(57)【特許請求の範囲】
【請求項１】
ロータメタルを平面半円に配し、該円弧上のロータメタルによって走行する各スピンドルランナーに支持されたボビンから巻戻された炭素繊維糸を、前記ロータメタルの円弧の中心部にある筬打ち部に供給したことを特徴とするトーションレース機。
【発明の詳細な説明】
【技術分野】
【０００１】
本発明は、所期から扁平レースとして展開し易く編み込めるようにしたトーションレース機に関するものである。
【背景技術】
【０００２】
一般に、トーションレース機は、平面真円に配したロータメタルの自転によってスピンドルランナー及びボビンを交叉させつつ走行させ、該ボビンから引き出した糸を中心部に集めてリードナイフにより筬打ちし、筒状製品を形成し、扁平に潰して挟圧ローラを通して巻取ドラムに巻き取るようになっている（特開平９−１１１６２６号公報参照）。前記巻取ドラムに巻き取った筒状製品は、通常、円周の一ヶ所に抜き糸を使用し、該抜き糸を引き抜いて扁平に展開して種々の用途（例えば、女子服の裾飾、襟飾など）に使用されている。
【０００３】
上記トーションレース機を利用し、扁平状に引き揃えた炭素繊維糸をボビンに巻き、該ボビンから引き出した炭素繊維糸を中心部に集めてバイヤス方向に平織状に形成し、これに縦入れ技術（特公昭５１−３６８２６号公報参照）を利用して縦糸を挿入することにより縦方向及びバイヤス方向に非変形力を示す産業用複合材料品を簡易に作成できる利点がある。
【特許文献１】特開平９−１１１６２６号公報
【特許文献２】特公昭５１−３６８２６号公報
【発明の開示】
【発明が解決しようとする課題】
【０００４】
しかしながら、炭素繊維糸は引っ張り方向には極めて高い強度を示すが、折れに対しては脆いため、前述した如く、トーションレース機を用いて、筒状に編成してなる筒状製品を偏平に潰して狭圧ローラに掛けるときに、炭素繊維糸が折れて脆くなってしまうという問題があったばかりでなく、前記筒状製品の円周の一ヶ所に抜き糸を使用し、これを抜いて扁平製品（一枚物）として展開すると、円周からの偏平であり、展開量が大きく、バイヤス方向に走る炭素繊維糸にうねり（軽い弓形状カーブ）が生じてしまうことから、そのうねり分だけ伸びる（非変形力が減殺される）という問題もあった。
【０００５】
本発明は、上記問題を解消するためのもので、その目的とするところは、扁平状に引き揃えた炭素繊維糸が折れることがなく、しかも、扁平に展開してもバイヤス方向に走る炭素繊維糸に上記のような「うねり」が生じず、伸びの問題のないトーションレース地（産業用複合材料品）が得られるようにした点にある。
【０００６】
上記目的を達成するため、本発明は、ロータメタルを平面半円に配し、該円弧上のロータメタルによって走行する各スピンドルランナーに支持されたボビンから巻戻された炭素繊維糸を、前記ロータメタルの円弧の中心部にある筬打ち部に供給したことを特徴とし、非円筒から偏平にするために折られることがなく、展開量も小さくなるように構成した。
【発明の効果】
【０００８】
本発明によれば、トーションレース機におけるロータメタルを平面有端円に配置したことを特徴としているから、編成したレースが所期から筒状にならず、巻取ドラムに巻き取るに際して狭圧ローラにて扁平に潰されることもないので、炭素繊維糸の折れによる強度の減衰が起こらないばかりでなく、円筒からの展開と異って展開量が小さくなるため、炭素繊維糸にうねりが生ずることがなく、強度が減殺されることもないなど各種の優れた効果を奏するものである。
【００１０】
次に、本発明の実施の態様を添付図面に基づいて説明する。図１は本願トーションレース機の一部切欠平面図、図２は本願トーションレース機の左側面図、図３は本願トーションレース機の正面図、図４はロータメタルとスピンドルランナーの配置を示す部分的平面図、図５はスピンドルランナーに搭載したボビンと縦入れ装置を示す側面断面図、図６は本願トーションレース機により編上がった製品の部分展開図である。
【００１１】
図１において、１は本願トーションレース機である。本願トーションレース機１はロータメタル２、２…が平面有端円に配されている。該平面有端円とは、平面半円の如く、真円でなく、端部がある円を示すもので、１／３円でも、１／４円でも良いが、図示の場合には平面半円を示している。
【００１２】
前記ロータメタル２は、図４から判るように、対向位置に円弧凹部２ａ、２ａを有し、その直交位置に円弧凸部２ｂ、２ｂを有しているもので、その多数個が、内ガイド板３と外ガイド板３′の間の円弧連続溝３″に、円弧凹部が向かい合うように配置され、その場でそれぞれ右ないし左に回転するように駆動部４に連繋している。
【００１３】
前記ロータメタル２は、その左右にあるロータメタル２の対向する円弧凹部内で１８０°毎に右または左に回転して正確に停止し、したがって、図４の符号Ａに位置しているロータメタル（縞線）２が符号Ｂと符号Ｃに位置しているロータメタル２、２の円弧凹部で囲まれた円弧内で矢印イの方向（右）に回ると、ＡとＢ間にあるスピンドルランナー５は右方向に、ＡとＣ間にあるスピンドルランナー５は左方向にそれぞれ送られ、互いにその位置を交換する。
【００１４】
上記ロータメタル２の作用により、各スピンドルランナー５に搭載されたボビン軸６に嵌合したボビン７から巻き戻された糸８は、図５の一点鎖線の如く、引き出され、図１、図２及び図３の如く、本願トーションレース機１の中心部９に集められ、リードナイフを備えた筬打ち部１０にて筬打ちされ、非筒状品（平面半円）としてバイヤス方向に平織状に編成される。しかして、展開により、図６の如く、トーションレース地１１になる。
【００１５】
前記駆動部４は、図５の如く、構成されている。すなわち、ロータメタル２の軸心を通る中空軸杆４１に遊嵌したクラッチ４２を駆動する駆動ギア４３が設けられている。該駆動ギア４３の回転は、本図には図示していない別の駆動源に連繋している。前記クラッチ４２は、シフター４４の作用により上下動し、上動時に駆動ギア４３の回転をロータメタル２に伝え、下動時には駆動ギア４３との連繋を解除するようになっている。
【００１６】
前記トーションレース地１１には、図６の如く、縦糸１２が挿入されるようになっている。該縦糸１２の挿入は、機本体１′の下に設置のボビン１３から引き出されてロータメタル２の中空軸杆４１の上部から延出した筒体１４の上端からトーションレース地１１の組織中に入る。換言すれば、本願トーションレース機１により編成されたトーションレース地１１は、バイヤス方向に編成された糸８と、その組織中に挿入された縦糸１２とにより、縦方向及びバイヤス方向に非変形力を示す産業用複合材料品として作成できることとなる。
【００１７】
前記本願トーションレース機１は、前述の如く、ロータメタル２が平面半円に配されていることから、その両端部１５、１５′を結ぶ直線１６の外側には空きスペースＳができることとなる。したがって、この空きスペースＳに、図１、図２及び図３の如く、ヤグラ１７を組むことができる。該ヤグラ１７には、その左右から階段１８を掛け、作業者（オペレーター）が登れるようにし、前記本願トーションレース機１の中心部９に設けられた種々の設備（機構）の修理作業や調整作業が作業者の手により直に行えるようになる。
【００１８】
前記本願トーションレース機１では、トーションレース地１１は筒状には編成されず、常に、半円品として編成される。該半円品は、扁平にして挟圧ローラ１９を通して巻取ドラム（図示せず）に巻き取られる。したがって、筒状品の如く、扁平に潰すことがないので、炭素繊維糸を使用したとしても「折れ」による強度の減衰がない上に、筒状品の円周の一ヶ所に使用した抜き糸を引き抜いて扁平品に展開するのに較べると、展開率が小さく「うねり」の発生がない。
【００１９】
前記ロータメタル２が平面有端円に配した本願トーションレース機は、詳細には説明していなかったが、各ロータメタル２は右方向にも左方向にも自在に回転し、所望のスピンドルランナー（ボビン）を数ステップ先の目的の位置まで他の糸に絡ませず、或いは絡ませつつ運ぶことも可能になっている。
【産業上の利用可能性】
【００２０】
本発明は、扁平状に引き揃えた炭素繊維糸をバイヤス方向に平織状に形成すること、同時に縦入れも可能なトーションレース機であり、しかも、ロータメタルは平面有端円（主に、平面半円）に配して非円形編成品を作成することを可能にしたことによりその空きスヘペースにヤグラを組んで作業者の手により糸が集中する中心部での修理作業や調整作業が直に行えるから、トーションレース業界において、その利用可能性は高いといえる。
【図面の簡単な説明】
【００２１】
【図１】本願トーションレース機の一部切欠平面図である。
【図２】本願トーションレース機の左側面図である。
【図３】本願トーションレース機の正面図である。
【図４】ロータメタルとスピンドルランナーの配置を示す部分的平面図である。
【図５】スピンドルランナーに搭載したボビンと縦入れ装置を示す側面断面図である。
【図６】本願トーションレース機により編上がった製品の部分展開図である。
【符号の説明】
【００２２】
１  本願トーションレース機
１′  機本体
２  ロータメタル
２ａ  弧状凹部
２ｂ  弧状凸部
３  内側ガイド板
３′  外側ガイド板
３″  円弧連続溝
４  駆動部
４１  軸杆
４２  クラッチ
４３  駆動ギア
４４  シフター
５  スピンドルランナー
６  ボビン軸
７  ボビン
８  糸（例えば、炭素繊維糸）
９  中心部
１０  筬打ち部
１１  トーションレース地
１２  縦糸
１３  機下に設置のボビン
１４  筒体
１５、１５′  両端部
１６  直線
１７  ヤグラ
１８  階段
１９  挟圧ローラ
Ｓ  空きスペース
【図１】
0005993153.tif 000002
【図２】
0005993153.tif 000003
【図３】
0005993153.tif 000004
【図４】
0005993153.tif 000005
【図５】
0005993153.tif 000006
【図６】
0005993153.tif 000007